(57)【要約】【課題】ガスの検針作業を行うにあたり発生する検針専門員の人件費と一日当たりの検針件数を課題とするものである。【解決手段】無線親機３と制御端末４を点検業務車５に積載することで、点検業務中に自動的に各家の無線子機２と通信してガスメータ１で計測したガス使用量データを受信できるようにする。【選択図】図１
2006067418.tif 000002
【特許請求の範囲】
【請求項１】
メーターに接続され使用量のデータを無線データとして送信する無線子機と、前記無線子機へデータ送信の要求を行うとともに無線データを受信する無線親機と、前記無線親機を制御する制御端末とから構成され、前記無線親機と前記制御端末をメータ設備の点検業務車に積載し、点検業務中に前記無線親機と前記無線子機との間で無線データのやり取りを行うことを特徴とした無線検針システム。
【請求項２】
無線親機と制御端末を点検業務車の代わりに宅配業者の車に載せることを特徴とした請求項１記載の無線検針システム。
【請求項３】
制御端末に無線子機の設置位置データを記憶させておくことにより、前記無線子機からの無線データに含まれる個別コードと照らし合わせて現在の位置の認識を行い、電波が届く範囲の無線子機のみ検針するようにしたことを特徴とした請求項１または２記載の無線検針システム。
【請求項４】
制御端末に携帯電話機の接続を行い、前記携帯電話機の位置情報サービスのデータより現在の位置の認識を行うようにすることを特徴とした請求項３記載の無線検針システム。
【請求項５】
無線親機と制御端末とを一体化したことを特徴とした請求項１記載の無線検針システム。
【発明の詳細な説明】
【技術分野】
【０００１】
本発明は、使用量を無線データとして伝送する無線検針システムに関するものである。
【背景技術】
【０００２】
近年、例えばガスにおいては、ガスの使用量を計測するガスメータに、多量の流量が計測された場合や、通常ではありえないほどの長時間使用があった場合には、異常と判定してガス通路を遮断し、安全性を確保する保安装置が内蔵されたものが普及している。
【０００３】
そして、このガスメーターの計測値を専門員がハンディターミナルという制御端末に手動で記憶させ、検針結果をガスを管理しているセンターへ持ち帰るというシステムが実用化されている（例えば、特許文献１）。
【０００４】
また、このガスメーターとガスを管理しているセンターとの間で情報を無線データとして送受信する装置も実用化され、システムとして完結している。この装置は、固定設置された親機と子機から構成されているが、親機と子機が１対１で構成されているものもあれば、親機が１に対して子機が複数の場合もある。
【０００５】
そして、親機が１に対して子機が複数の場合、親機からのガスメータの検針値要求等は複数の子機に対して直接に、且つ、一斉に行い、無線データの子機から親機への返信は順次、直接行うようになっている（例えば、特許文献２）。
【０００６】
更に、無線でのシステム完結は設備投資金額が高価になる為、上記２例を組合せ、専門員が親機と制御端末をセットで持って担当区域を巡回することにより無線子機がデータを返信し、ガスの検針作業を行うといったシステムも運用されている。
【０００７】
以上はガスに限らず、電力や水道のメータでも同じことが言える。
【特許文献１】特開２００２−２９８２７３号公報
【特許文献２】特開平９−２３２８３号公報
【発明の開示】
【発明が解決しようとする課題】
【０００８】
しかしながら、専門員が親機と制御端末を持って担当区域を巡回するシステムの場合、無線でのシステム完結に比べ設備投資金額が安価ではあるが、専門員の人件費が発生するという課題があった。
【０００９】
また、専門員の担当区域が徒歩を基準に決められている場合、一日に検針する件数に限界があるという課題があった。
【課題を解決するための手段】
【００１０】
上記課題を解決するため本発明では、無線親機と制御端末を専門員ではなくメータ設備を管理している業務車に積載し、通常の点検業務の巡回中に検針ができるようにしたものである。
【発明の効果】
【００１１】
本発明の無線検針システムによれば、次の効果が得られる。
【００１２】
点検業務中や宅配業者などと提携して用量データを無線データとして受信しセンターへ持ち帰ることができるので、専門の検針員を雇わなくてよくなる。
【００１３】
また、無線親機の位置を認識することにより、無線通信が可能な無線子機へのみ通信動作を行うことになり、不要な消費電力をおさえ、且つ検針にかかる無線通信の時間の無駄をなくすことができる。
【発明を実施するための最良の形態】
【００１４】
第１の発明による無線検針システムは、メーターに接続され使用量のデータを無線データとして送信する無線子機と、前記無線子機へデータ送信の要求を行うとともに無線データを受信する無線親機と、前記無線親機を制御する制御端末とから構成され、前記無線親機と前記制御端末をメータ設備の点検業務車に積載し、点検業務中に前記無線親機と前記無線子機との間で無線データのやり取りが行われるようにしたものである。
【００１５】
これにより、専門の検針員を雇う必要がなくなり、安価に無線自動検針システムを構築することが出来る。
【００１６】
第２の発明による無線検針システムは、第１の発明の無線検針システムにおいて、無線親機と制御端末を点検業務車の代わりに宅配業者の配送車に載せるようにしたものである。
【００１７】
これにより、点検業務車の一日の点検ルートという制限に関係なく、宅配業者の一日における広範囲な担当区域を利用できるので、一日あたりの検針戸数を増やすことが出来る。
【００１８】
第３の発明による無線検針システムは、第１または第２発明の無線検針システムにおいて、制御端末に無線子機の設置位置データを記憶させておくことにより、前記無線子機からの無線データに含まれる個別コードと照らし合わせて現在の位置の認識を行い、電波が届く範囲の無線子機のみ検針するようにしたものである。
【００１９】
これにより、検針可能な無線子機へのみ通信動作を行うことになり、消費電力をおさえ、且つ検針時間の無駄をなくすことができる。
【００２０】
第４の発明による無線検針システムは、第３の発明の無線検針システムにおいて、制御端末に携帯電話機の接続を行い、前記携帯電話機の位置情報サービスのデータより現在の位置の認識を行うようにしたものである。
【００２１】
これにより、無線子機からの無線データを利用した場合の周辺電波環境の影響による認識位置ずれを皆無にし、より正確に位置認識を行うことで更に消費電力の低減と検針時間の無駄をなくすことができる。
【００２２】
第５の発明による無線検針システムは、第１の発明の無線検針システムにおいて、前記無線親機と前記制御端末とを一体化するようにしたものである。
【００２３】
これにより、二つの筐体と接続線を車から別々に積み下ろししなければならなかったところが、一つの筐体の積み下ろしだけでよくなる。また一体化して小型・軽量化することで二輪車や三輪車によって運搬・検針することが可能となる。
【００２４】
以下、本発明の実施の形態について図面を用いて説明する。なお、本実施の形態はガスにおいて説明するが、これに限るものでなく電力や水道、灯油などの燃料などであってもよい。
【００２５】
（実施の形態１）
図１は本発明の実施の形態１によるガス無線検針システムを示す構成図である。
【００２６】
１はマイコンメーターで、ガス流量の計測部、ガス通路の遮断装置で主に構成されている。２は無線子機で、複数のマイコンメーター１のそれぞれにひとつづつ付けられ、無線親機３からの要求信号を受けマイコンメーター１の情報を無線データとして無線親機３に送信する。要求信号がなくても、マイコンメーター１からの信号により無線子機２が無線送信を行うこともある。無線親機３は、制御端末４に接続されており、制御端末４からの信号により無線の送受信動作を行い、受け取ったデータは制御端末４に蓄え、ガスセンター等のしかるべき場所へ持ち帰る。
【００２７】
本発明の実施の形態１によると、無線親機３と制御端末４を点検業務車５に積載することで、点検業務中に自動的に各家の無線子機２を呼び出し、ガス使用量データを無線データとして受信することができるようになる。
【００２８】
これにより、専門の検針員を雇わなくてもガスの検針が行えるというシステムを安価に構築することが出来る。
【００２９】
そして、無線親機３から無線子機２の呼び出しは、常に全戸数を行うのではなく、その日の点検ルートから何百メートルの範囲内の無線子機のみとしても良い。
【００３０】
また、無線親機３からの呼び出しではなく、無線子機２が一定間隔で無線データを送信し、これを無線親機３が受信するようにしてもよい。
【００３１】
（実施の形態２）
本発明の実施の形態２では、実施の形態１で説明した無線親機３と制御端末４を点検業務車ではなく、宅配業者の配送車に載せるようにする。
【００３２】
これにより、点検業務車の一日の点検ルートという制限に関係なく、宅配業者の一日における広範囲な担当区域を利用できるので、一日あたりの検針戸数を増やすことができる。
【００３３】
また、宅配業者の代わりに、新聞配達車や郵便配達車などの地域を巡る仕事を行っている職種の車に積載するようにしてもよい。
【００３４】
（実施の形態３）
本発明の実施の形態３によると、図２に示すように、制御端末４の記憶部に各家に設置された無線子機２の設置位置データを記憶させておき、まず対象エリアの全ての無線子機情報を記憶から呼び出し（Ｓ１）、周囲の受信できる無線子機２から受信した受信データ（Ｓ２）と設置位置データ（Ｓ４）とを比較して、無線親機３の現在位置を判別する（Ｓ３）。そして、現在の無線親機３から電波が届く範囲に設置された無線子機２の選択（Ｓ５）を行い、選択された無線子機２のみ無線通信してガスの検針を行う（Ｓ６）ようにする。
【００３５】
これにより、無線通信が可能な無線子機へのみ通信動作を行うことになり、電波が届かない無線子機と通信を試みようとする不要な消費電力をおさえ、且つ検針にかかる無線通信の時間の無駄をなくすことができる。
【００３６】
（実施の形態４）
本発明の実施の形態４によると、図３に示すように、制御端末４に携帯電話を接続し、携帯電話会社の位置情報サービスを利用して現在の携帯電話の位置データを制御端末４に取り込む（Ｓ１１、１２）。そして、実施の形態３と同じように現在の無線親機３から電波が届く範囲に設置された無線子機２の選択を行い（Ｓ５）、選択された無線子機２のみ無線通信してガスの検針を行う（Ｓ６）。
【００３７】
これにより、実施の形態３のように無線子機からの無線データを利用して現在の位置を確認する場合に比べ、周辺電波環境の影響による認識位置ずれを皆無にし、より正確に位置認識を行うことで更に消費電力の低減と検針時間の無駄をなくすことができる。
【００３８】
（実施の形態５）
本発明の実施の形態５によると、実施の形態１で説明した無線親機３と制御端末４を一体化して、一つの筐体で二つの機能を合わせ持つようにする。
【００３９】
これにより、二つの筐体と接続線を車から別々に積み下ろししなければならなかったところが、一つの筐体の積み下ろしだけでよくなる。また一体化して小型・軽量化することで二輪車や三輪車によって運搬・検針することが可能となる。
【産業上の利用可能性】
【００４０】
本発明は、家庭のガス使用量を無線データとして伝送する無線検針システムに限らず、オフィスや店舗の電力使用量、水道使用量を無線データとして伝送する無線検針システムなどの用途にも適用できる。
【図面の簡単な説明】
【００４１】
【図１】本発明の実施の形態１における無線検針システムを示す構成図
【図２】本発明の実施の形態３における無線検針システムのフローチャート
【図３】本発明の実施の形態４における無線検針システムのフローチャート
【符号の説明】
【００４２】
１  マイコンメーター
２  無線子機
３  無線親機
４  制御端末
５  点検業務車
【図１】
2006067418.tif 000003
【図２】
2006067418.tif 000004
【図３】
2006067418.tif 000005